(57)【要約】【課題】集中管理された個人の診療記録情報を症例や病名のキーワードおよび地域により横断的に検索し、該当する情報を取得して個人会員や医師に回答する。【解決手段】診療年月日，診療内容と診療年月日対応の医療機関名・医師名とを含む個人毎の診療記録情報を医師端末から登録され格納している健康医療情報データベース４６と、医療機関名と所在地域名が対応付けられて予め登録されている連絡先データベース４７とを備え、病名や症例のキーワードおよび地域名を入力されて症例検索を要求された場合に、前記地域名により連絡先データベース４７を検索して対応する医療機関名を抽出し、抽出された医療機関名が登録されている診療記録情報を対象に前記キーワードにより検索し、同じキーワードを含む診療記録情報を取得して要求元の前記個人端末１０または前記医師端末に送信する手段を有する。【選択図】　　　図１
2004030128.tif 000002
【特許請求の範囲】
【請求項１】
個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えた健康医療情報共有システムであって、
前記個人端末または前記医師端末は、
前記健康医療情報管理サーバにアクセスし、キーワードとして入力された病名や症例により症例検索を要求する手段と、前記健康医療情報管理サーバから送信される症例検索結果を表示する手段とを有し、
前記健康医療情報管理サーバは、
診療年月日，診療内容と診療年月日対応の担当医療機関名・医師名とを含む個人毎の診療記録情報を前記医師端末から登録され格納している健康医療情報データベースと、前記症例検索を要求された場合に、前記病名や症例のキーワードにより前記健康医療情報データベースを検索し、登録されている全ての個人ユーザの診療記録情報から該当する個人ユーザの診療記録情報を取得して、要求元の前記個人端末または前記医師端末に送信する手段とを有することを特徴とする健康医療情報共有システム。
【請求項２】
個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えた健康医療情報共有システムであって、
前記個人端末または前記医師端末は、
前記健康医療情報管理サーバにアクセスし、キーワードとして入力された病名や症例および画面上で選択された地域名により症例検索を要求する手段と、前記健康医療情報管理サーバから送信される症例検索結果を表示する手段とを有し、
前記健康医療情報管理サーバは、
診療年月日，診療内容と診療年月日対応の担当医療機関名・医師名とを含む個人毎の診療記録情報を前記医師端末から登録され格納している健康医療情報データベースと、医療機関名と所在地域名が対応付けられて予め登録されている地域情報データベースと、前記症例検索を要求された場合に、前記選択された地域名により前記地域情報データベースを検索して対応する医療機関名を抽出し、抽出された医療機関名が登録されている診療記録情報を対象に前記病名や症例のキーワードにより検索し、該当する個人ユーザの診療記録情報を取得して要求元の前記個人端末または前記医師端末に送信する手段とを有することを特徴とする健康医療情報共有システム。
【請求項３】
個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えた健康医療情報共有システムであって、
前記個人端末または前記医師端末は、
前記健康医療情報管理サーバにアクセスし、キーワードとして入力された病名や症例により症例検索を要求する手段と、症例検索結果表示画面において指定された医師名または医療機関名により連絡先検索を要求する手段と、前記健康医療情報管理サーバから送信される症例検索結果や連絡先検索結果を表示する手段とを有し、
前記健康医療情報管理サーバは、
診療年月日，診療内容と診療年月日対応の担当医療機関名・医師名とを含む個人毎の診療記録情報を前記医師端末から登録され格納している健康医療情報データベースと、医師名や医療機関名と電話番号等の連絡先情報とが対応付けられて予め登録されている連絡先データベースと、前記症例検索を要求された場合に、前記病名や症例のキーワードにより前記健康医療情報データベースを検索し、登録されている全ての個人ユーザの診療記録情報から該当する個人ユーザの診療記録情報を取得して、要求元の前記個人端末または前記医師端末に送信する手段と、前記連絡先検索を要求された場合に、前記指定された医師名または医療機関名により前記連絡先データベースを検索し、該当する連絡先情報を取得して要求元の前記個人端末または前記医師端末に送信する手段とを有することを特徴とする健康医療情報共有システム。
【請求項４】
個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えた健康医療情報共有システムであって、
前記個人端末または前記医師端末は、
前記健康医療情報管理サーバにアクセスし、キーワードとして入力された病名や症例および画面上で選択された地域名により症例検索を要求する手段と、症例検索結果表示画面において指定された医師名または医療機関名により連絡先検索を要求する手段と、前記健康医療情報管理サーバから送信される症例検索結果や連絡先検索結果を表示する手段とを有し、
前記健康医療情報管理サーバは、
診療年月日，診療内容と診療年月日対応の担当医療機関名・医師名とを含む個人毎の診療記録情報を前記医師端末から登録され格納している健康医療情報データベースと、医療機関名と所在地域名、および医師名や医療機関名と電話番号等の連絡先情報とがそれぞれ対応付けられて予め登録されている連絡先データベースと、前記症例検索を要求された場合に、前記選択された地域名により前記連絡先データベースを検索して対応する医療機関名を抽出し、抽出された医療機関名が登録されている診療記録情報を対象に前記病名や症例のキーワードにより検索し、該当する個人ユーザの診療記録情報を取得して要求元の前記個人端末または前記医師端末に送信する手段と、前記連絡先検索を要求された場合に、前記指定された医師名または医療機関名により前記連絡先データベースを検索し、該当する連絡先情報を取得して要求元の前記個人端末または前記医師端末に送信する手段とを有することを特徴とする健康医療情報共有システム。
【請求項５】
個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報共有方法であって、
前記医師端末が前記健康医療情報管理サーバにアクセスし、診療年月日，診療内容と診療年月日対応の担当医療機関名・医師名とを含んだ診療記録情報を個人ユーザ毎に健康医療情報データベースに登録するステップと、
前記個人端末または前記医師端末が前記健康医療情報管理サーバにアクセスし、病名や症例のキーワードを入力して症例検索を要求するステップと、
前記健康医療情報管理サーバが、前記病名や症例のキーワードにより前記健康医療情報データベースを検索し、登録されている全ての個人ユーザの診療記録情報から該当する個人ユーザの診療記録情報を取得して、要求元の前記個人端末または前記医師端末に送信するステップとを有することを特徴とする健康医療情報共有方法。
【請求項６】
個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報共有方法であって、
前記健康医療情報管理サーバが、医療機関名と所在地域名を対応付けて内部の地域情報データベースに予め登録するステップと、
前記医師端末が前記健康医療情報管理サーバにアクセスし、診療年月日，診療内容と診療年月日対応の担当医療機関名・医師名とを含んだ診療記録情報を個人ユーザ毎に健康医療情報データベースに登録するステップと、
前記個人端末または前記医師端末が前記健康医療情報管理サーバにアクセスし、病名や症例のキーワードおよび地域名を入力して症例検索を要求するステップと、
前記健康医療情報管理サーバが、前記地域名により前記地域情報データベースを検索して対応する医療機関名を抽出し、前記健康医療情報データベースを参照して抽出された医療機関名が登録されている診療記録情報を対象に前記病名や症例のキーワードにより検索し、該当する個人ユーザの診療記録情報を取得して要求元の前記個人端末または前記医師端末に送信するステップとを有することを特徴とする健康医療情報共有方法。
【請求項７】
個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報共有方法であって、
前記健康医療情報管理サーバが、医師名や医療機関名と電話番号等の連絡先情報とを対応付けて内部の連絡先データベースに予め登録するステップと、
前記医師端末が前記健康医療情報管理サーバにアクセスし、診療年月日，診療内容と診療年月日対応の担当医療機関名・医師名とを含んだ診療記録情報を個人ユーザ毎に健康医療情報データベースに登録するステップと、
前記個人端末または前記医師端末が前記健康医療情報管理サーバにアクセスし、病名や症例のキーワードを入力して症例検索を要求するステップと、
前記健康医療情報管理サーバが、前記病名や症例のキーワードにより前記健康医療情報データベースを検索し、登録されている全ての個人ユーザの診療記録情報から該当する個人ユーザの診療記録情報を取得して、要求元の前記個人端末または前記医師端末に送信するステップと、
前記個人端末または前記医師端末において送信された診療記録情報を表示し、診療記録情報に含まれている医師名または医療機関名を画面上で指定して連絡先検索を要求するステップと、
前記健康医療情報管理サーバが、前記指定された医師名または医療機関名により前記連絡先データベースを検索し、該当する連絡先情報を取得して要求元の前記個人端末または前記医師端末に送信するステップとを有することを特徴とする健康医療情報共有方法。
【請求項８】
個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報共有方法であって、
前記健康医療情報管理サーバが、医療機関名と所在地域名、および医師名や医療機関名と電話番号等の連絡先情報とをそれぞれ対応付けて内部の連絡先データベースに予め登録するステップと、
前記医師端末が前記健康医療情報管理サーバにアクセスし、診療年月日，診療内容と診療年月日対応の担当医療機関名・医師名とを含んだ診療記録情報を個人ユーザ毎に健康医療情報データベースに登録するステップと、
前記個人端末または前記医師端末が前記健康医療情報管理サーバにアクセスし、病名や症例のキーワードおよび地域名を入力して症例検索を要求するステップと、
前記健康医療情報管理サーバが、前記地域名により前記連絡先データベースを検索して対応する医療機関名を抽出し、前記健康医療情報データベースを参照して抽出された医療機関名が登録されている診療記録情報を対象に前記病名や症例のキーワードにより検索し、該当する個人ユーザの診療記録情報を取得して要求元の前記個人端末または前記医師端末に送信するステップと、
前記個人端末または前記医師端末において送信された診療記録情報を表示し、診療記録情報に含まれている医師名または医療機関名を画面上で指定して連絡先検索を要求するステップと、
前記健康医療情報管理サーバが、前記指定された医師名または医療機関名により前記連絡先データベースを検索し、該当する連絡先情報を取得して要求元の前記個人端末または前記医師端末に送信するステップとを有することを特徴とする健康医療情報共有方法。
【請求項９】
個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報管理サーバに適用される健康医療情報共有プログラムであって、
診療年月日，診療内容と診療年月日対応の担当医療機関名・医師名とを含んだ診療記録情報を前記医師端末から登録要求され、個人ユーザ毎に健康医療情報データベースに登録する手段、
前記個人端末または前記医師端末から病名や症例のキーワードを入力され症例検索を要求されたときに、前記病名や症例のキーワードにより前記健康医療情報データベースを検索し、登録されている全ての個人ユーザの診療記録情報から該当する個人ユーザの診療記録情報を取得して、要求元の前記個人端末または前記医師端末に送信する手段、
としてコンピュータを機能させるための健康医療情報共有プログラム。
【請求項１０】
個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報管理サーバに適用される健康医療情報共有プログラムであって、
医療機関名と所在地域名を対応付けて内部の地域情報データベースに予め登録する手段、
診療年月日，診療内容と診療年月日対応の担当医療機関名・医師名とを含んだ診療記録情報を前記医師端末から登録要求され、個人ユーザ毎に健康医療情報データベースに登録する手段、
前記個人端末または前記医師端末から病名や症例のキーワードおよび地域名を入力され症例検索を要求されたときに、前記地域名により前記地域情報データベースを検索して対応する医療機関名を抽出し、前記健康医療情報データベースを参照して抽出された医療機関名が登録されている診療記録情報を対象に前記病名や症例のキーワードにより検索し、該当する個人ユーザの診療記録情報を取得して要求元の前記個人端末または前記医師端末に送信する手段、
としてコンピュータを機能させるための健康医療情報共有プログラム。
【請求項１１】
個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報管理サーバに適用される健康医療情報共有プログラムであって、
医師名や医療機関名と電話番号等の連絡先情報とを対応付けて内部の連絡先データベースに予め登録する手段、
診療年月日，診療内容と診療年月日対応の担当医療機関名・医師名とを含んだ診療記録情報を前記医師端末から登録要求され、個人ユーザ毎に健康医療情報データベースに登録する手段、
前記個人端末または前記医師端末から病名や症例のキーワードを入力され症例検索を要求されたときに、前記病名や症例のキーワードにより前記健康医療情報データベースを検索し、登録されている全ての個人ユーザの診療記録情報から該当する個人ユーザの診療記録情報を取得して、要求元の前記個人端末または前記医師端末に送信する手段、
前記個人端末または前記医師端末から医師名または医療機関名を指定して連絡先検索を要求されたときに、前記指定された医師名または医療機関名により前記連絡先データベースを検索し、該当する連絡先情報を取得して要求元の前記個人端末または前記医師端末に送信する手段、
としてコンピュータを機能させるための健康医療情報共有プログラム。
【請求項１２】
個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報管理サーバに適用される健康医療情報共有プログラムであって、
医療機関名と所在地域名、および医師名や医療機関名と電話番号等の連絡先情報とをそれぞれ対応付けて内部の連絡先データベースに予め登録する手段、
診療年月日，診療内容と診療年月日対応の担当医療機関名・医師名とを含んだ診療記録情報を前記医師端末から登録要求され、個人ユーザ毎に健康医療情報データベースに登録する手段、
前記個人端末または前記医師端末から病名や症例のキーワードおよび地域名を入力され症例検索を要求されたときに、前記地域名により前記連絡先データベースを検索して対応する医療機関名を抽出し、前記健康医療情報データベースを参照して抽出された医療機関名が登録されている診療記録情報を対象に前記病名や症例のキーワードにより検索し、該当する個人ユーザの診療記録情報を取得して要求元の前記個人端末または前記医師端末に送信する手段、
前記個人端末または前記医師端末から医師名または医療機関名を指定して連絡先検索を要求されたときに、前記指定された医師名または医療機関名により前記連絡先データベースを検索し、該当する連絡先情報を取得して要求元の前記個人端末または前記医師端末に送信する手段、
としてコンピュータを機能させるための健康医療情報共有プログラム。
【発明の詳細な説明】
【０００１】
【発明の属する技術分野】
本発明は、健康医療情報共有システム，健康医療情報共有方法および健康医療情報共有プログラムに関し、特に個人の健康医療情報を共有情報として集中管理し、個人端末や各医療機関の医師端末等にネットワークを介して公開する健康医療情報共有システム，健康医療情報共有方法および健康医療情報共有プログラムに関する。
【０００２】
【従来の技術】
個人の健康医療情報としては、例えば、学校，企業，健診センター等で受診した健康診断情報や、医療機関における診療記録（カルテ）等が挙げられる。しかし、これらの健康医療情報は学校，企業，健診センターや医療機関等でそれぞれ個々に保管されており、本来健康医療情報の所有者である本人であっても情報の入手が困難であった。このため、新しい病院に掛かった場合、今までの健康状況、過去の病歴や治療歴等についてのアンケートにその都度記載しなければならないとか、現在他の病院から出されている薬が判らない場合、薬の併用が可能か判断できないといった問題が提起されていた。
【０００３】
このような問題を解決した例としては、例えば特開２００１−３２５３７２号公報に記載されたヘルスケアデータ共有システム，ヘルスケアデータ共有方法およびヘルスケアデータ共有プログラムがある。この発明においては、個人の健康医療情報をデータ管理センターに共有情報として集中管理し、ネットワークを介してアクセスされた個人や医師のセキュリティーレベルに応じて公開することが開示されている。
【０００４】
【発明が解決しようとする課題】
しかし、上述した公報に記載の発明においては、特定の個人の健康医療情報を参照したり登録，更新することは可能であるが、登録されている全ての個人の健康医療情報を横断的に検索して必要な情報のみを取得するというようなことは記載も示唆もされていない。例えば、診療を受けようとする個人が受診する病院や医師を決めるときに、自分と同じ病気を持つ患者に対してどこの病院のどの医師がどのような治療をし、病気がどのような経過で治癒していったのかといったことを知り、それらの例を参考にして決定したいという場合があるが、そういった要求には応えられていない。
【０００５】
本発明は、以上の問題を解決する健康医療情報共有システム，健康医療情報共有方法および健康医療情報共有プログラムを提供することを目的とする。
【０００６】
【課題を解決するための手段】
本発明の第１の健康医療情報共有システムは、個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えた健康医療情報共有システムであって、
前記個人端末または前記医師端末は、
前記健康医療情報管理サーバにアクセスし、キーワードとして入力された病名や症例により症例検索を要求する手段と、前記健康医療情報管理サーバから送信される症例検索結果を表示する手段とを有し、
前記健康医療情報管理サーバは、
診療年月日，診療内容と診療年月日対応の担当医療機関名・医師名とを含む個人毎の診療記録情報を前記医師端末から登録され格納している健康医療情報データベースと、前記症例検索を要求された場合に、前記病名や症例のキーワードにより前記健康医療情報データベースを検索し、登録されている全ての個人ユーザの診療記録情報から該当する個人ユーザの診療記録情報を取得して、要求元の前記個人端末または前記医師端末に送信する手段とを有する。
【０００７】
本発明の第２の健康医療情報共有システムは、個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えた健康医療情報共有システムであって、
前記個人端末または前記医師端末は、
前記健康医療情報管理サーバにアクセスし、キーワードとして入力された病名や症例および画面上で選択された地域名により症例検索を要求する手段と、前記健康医療情報管理サーバから送信される症例検索結果を表示する手段とを有し、
前記健康医療情報管理サーバは、
診療年月日，診療内容と診療年月日対応の担当医療機関名・医師名とを含む個人毎の診療記録情報を前記医師端末から登録され格納している健康医療情報データベースと、医療機関名と所在地域名が対応付けられて予め登録されている地域情報データベースと、前記症例検索を要求された場合に、前記選択された地域名により前記地域情報データベースを検索して対応する医療機関名を抽出し、抽出された医療機関名が登録されている診療記録情報を対象に前記病名や症例のキーワードにより検索し、該当する個人ユーザの診療記録情報を取得して要求元の前記個人端末または前記医師端末に送信する手段とを有する。
【０００８】
本発明の第３の健康医療情報共有システムは、個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えた健康医療情報共有システムであって、
前記個人端末または前記医師端末は、
前記健康医療情報管理サーバにアクセスし、キーワードとして入力された病名や症例により症例検索を要求する手段と、症例検索結果表示画面において指定された医師名または医療機関名により連絡先検索を要求する手段と、前記健康医療情報管理サーバから送信される症例検索結果や連絡先検索結果を表示する手段とを有し、
前記健康医療情報管理サーバは、
診療年月日，診療内容と診療年月日対応の担当医療機関名・医師名とを含む個人毎の診療記録情報を前記医師端末から登録され格納している健康医療情報データベースと、医師名や医療機関名と電話番号等の連絡先情報とが対応付けられて予め登録されている連絡先データベースと、前記症例検索を要求された場合に、前記病名や症例のキーワードにより前記健康医療情報データベースを検索し、登録されている全ての個人ユーザの診療記録情報から該当する個人ユーザの診療記録情報を取得して、要求元の前記個人端末または前記医師端末に送信する手段と、前記連絡先検索を要求された場合に、前記指定された医師名または医療機関名により前記連絡先データベースを検索し、該当する連絡先情報を取得して要求元の前記個人端末または前記医師端末に送信する手段とを有する。
【０００９】
本発明の第４の健康医療情報共有システムは、個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えた健康医療情報共有システムであって、
前記個人端末または前記医師端末は、
前記健康医療情報管理サーバにアクセスし、キーワードとして入力された病名や症例および画面上で選択された地域名により症例検索を要求する手段と、症例検索結果表示画面において指定された医師名または医療機関名により連絡先検索を要求する手段と、前記健康医療情報管理サーバから送信される症例検索結果や連絡先検索結果を表示する手段とを有し、
前記健康医療情報管理サーバは、
診療年月日，診療内容と診療年月日対応の担当医療機関名・医師名とを含む個人毎の診療記録情報を前記医師端末から登録され格納している健康医療情報データベースと、医療機関名と所在地域名、および医師名や医療機関名と電話番号等の連絡先情報とがそれぞれ対応付けられて予め登録されている連絡先データベースと、前記症例検索を要求された場合に、前記選択された地域名により前記連絡先データベースを検索して対応する医療機関名を抽出し、抽出された医療機関名が登録されている診療記録情報を対象に前記病名や症例のキーワードにより検索し、該当する個人ユーザの診療記録情報を取得して要求元の前記個人端末または前記医師端末に送信する手段と、前記連絡先検索を要求された場合に、前記指定された医師名または医療機関名により前記連絡先データベースを検索し、該当する連絡先情報を取得して要求元の前記個人端末または前記医師端末に送信する手段とを有する。
【００１０】
本発明の第１の健康医療情報共有方法は、個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報共有方法であって、
前記医師端末が前記健康医療情報管理サーバにアクセスし、診療年月日，診療内容と診療年月日対応の担当医療機関名・医師名とを含んだ診療記録情報を個人ユーザ毎に健康医療情報データベースに登録するステップと、
前記個人端末または前記医師端末が前記健康医療情報管理サーバにアクセスし、病名や症例のキーワードを入力して症例検索を要求するステップと、
前記健康医療情報管理サーバが、前記病名や症例のキーワードにより前記健康医療情報データベースを検索し、登録されている全ての個人ユーザの診療記録情報から該当する個人ユーザの診療記録情報を取得して、要求元の前記個人端末または前記医師端末に送信するステップとを有する。
【００１１】
本発明の第２の健康医療情報共有方法は、個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報共有方法であって、
前記健康医療情報管理サーバが、医療機関名と所在地域名を対応付けて内部の地域情報データベースに予め登録するステップと、
前記医師端末が前記健康医療情報管理サーバにアクセスし、診療年月日，診療内容と診療年月日対応の担当医療機関名・医師名とを含んだ診療記録情報を個人ユーザ毎に健康医療情報データベースに登録するステップと、
前記個人端末または前記医師端末が前記健康医療情報管理サーバにアクセスし、病名や症例のキーワードおよび地域名を入力して症例検索を要求するステップと、
前記健康医療情報管理サーバが、前記地域名により前記地域情報データベースを検索して対応する医療機関名を抽出し、前記健康医療情報データベースを参照して抽出された医療機関名が登録されている診療記録情報を対象に前記病名や症例のキーワードにより検索し、該当する個人ユーザの診療記録情報を取得して要求元の前記個人端末または前記医師端末に送信するステップとを有する。
【００１２】
本発明の第３の健康医療情報共有方法は、個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報共有方法であって、
前記健康医療情報管理サーバが、医師名や医療機関名と電話番号等の連絡先情報とを対応付けて内部の連絡先データベースに予め登録するステップと、
前記医師端末が前記健康医療情報管理サーバにアクセスし、診療年月日，診療内容と診療年月日対応の担当医療機関名・医師名とを含んだ診療記録情報を個人ユーザ毎に健康医療情報データベースに登録するステップと、
前記個人端末または前記医師端末が前記健康医療情報管理サーバにアクセスし、病名や症例のキーワードを入力して症例検索を要求するステップと、
前記健康医療情報管理サーバが、前記病名や症例のキーワードにより前記健康医療情報データベースを検索し、登録されている全ての個人ユーザの診療記録情報から該当する個人ユーザの診療記録情報を取得して、要求元の前記個人端末または前記医師端末に送信するステップと、
前記個人端末または前記医師端末において送信された診療記録情報を表示し、診療記録情報に含まれている医師名または医療機関名を画面上で指定して連絡先検索を要求するステップと、
前記健康医療情報管理サーバが、前記指定された医師名または医療機関名により前記連絡先データベースを検索し、該当する連絡先情報を取得して要求元の前記個人端末または前記医師端末に送信するステップとを有する。
【００１３】
本発明の第４の健康医療情報共有方法は、個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報共有方法であって、
前記健康医療情報管理サーバが、医療機関名と所在地域名、および医師名や医療機関名と電話番号等の連絡先情報とをそれぞれ対応付けて内部の連絡先データベースに予め登録するステップと、
前記医師端末が前記健康医療情報管理サーバにアクセスし、診療年月日，診療内容と診療年月日対応の担当医療機関名・医師名とを含んだ診療記録情報を個人ユーザ毎に健康医療情報データベースに登録するステップと、
前記個人端末または前記医師端末が前記健康医療情報管理サーバにアクセスし、病名や症例のキーワードおよび地域名を入力して症例検索を要求するステップと、
前記健康医療情報管理サーバが、前記地域名により前記連絡先データベースを検索して対応する医療機関名を抽出し、前記健康医療情報データベースを参照して抽出された医療機関名が登録されている診療記録情報を対象に前記病名や症例のキーワードにより検索し、該当する個人ユーザの診療記録情報を取得して要求元の前記個人端末または前記医師端末に送信するステップと、
前記個人端末または前記医師端末において送信された診療記録情報を表示し、診療記録情報に含まれている医師名または医療機関名を画面上で指定して連絡先検索を要求するステップと、
前記健康医療情報管理サーバが、前記指定された医師名または医療機関名により前記連絡先データベースを検索し、該当する連絡先情報を取得して要求元の前記個人端末または前記医師端末に送信するステップとを有する。
【００１４】
本発明の第１の健康医療情報共有プログラムは、個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報管理サーバに適用される健康医療情報共有プログラムであって、
診療年月日，診療内容と診療年月日対応の担当医療機関名・医師名とを含んだ診療記録情報を前記医師端末から登録要求され、個人ユーザ毎に健康医療情報データベースに登録する手段、
前記個人端末または前記医師端末から病名や症例のキーワードを入力され症例検索を要求されたときに、前記病名や症例のキーワードにより前記健康医療情報データベースを検索し、登録されている全ての個人ユーザの診療記録情報から該当する個人ユーザの診療記録情報を取得して、要求元の前記個人端末または前記医師端末に送信する手段、としてコンピュータを機能させる。
【００１５】
本発明の第２の健康医療情報共有プログラムは、個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報管理サーバに適用される健康医療情報共有プログラムであって、
医療機関名と所在地域名を対応付けて内部の地域情報データベースに予め登録する手段、
診療年月日，診療内容と診療年月日対応の担当医療機関名・医師名とを含んだ診療記録情報を前記医師端末から登録要求され、個人ユーザ毎に健康医療情報データベースに登録する手段、
前記個人端末または前記医師端末から病名や症例のキーワードおよび地域名を入力され症例検索を要求されたときに、前記地域名により前記地域情報データベースを検索して対応する医療機関名を抽出し、前記健康医療情報データベースを参照して抽出された医療機関名が登録されている診療記録情報を対象に前記病名や症例のキーワードにより検索し、該当する個人ユーザの診療記録情報を取得して要求元の前記個人端末または前記医師端末に送信する手段、としてコンピュータを機能させる。
【００１６】
本発明の第３の健康医療情報共有プログラムは、個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報管理サーバに適用される健康医療情報共有プログラムであって、
医師名や医療機関名と電話番号等の連絡先情報とを対応付けて内部の連絡先データベースに予め登録する手段、
診療年月日，診療内容と診療年月日対応の担当医療機関名・医師名とを含んだ診療記録情報を前記医師端末から登録要求され、個人ユーザ毎に健康医療情報データベースに登録する手段、
前記個人端末または前記医師端末から病名や症例のキーワードを入力され症例検索を要求されたときに、前記病名や症例のキーワードにより前記健康医療情報データベースを検索し、登録されている全ての個人ユーザの診療記録情報から該当する個人ユーザの診療記録情報を取得して、要求元の前記個人端末または前記医師端末に送信する手段、
前記個人端末または前記医師端末から医師名または医療機関名を指定して連絡先検索を要求されたときに、前記指定された医師名または医療機関名により前記連絡先データベースを検索し、該当する連絡先情報を取得して要求元の前記個人端末または前記医師端末に送信する手段、としてコンピュータを機能させる。
【００１７】
本発明の第４の健康医療情報共有プログラムは、個人ユーザが使用する個人端末と、医師等が使用する医療機関の医師端末と、個人ユーザ毎の診療記録情報を共有情報として集中管理する健康医療情報管理サーバと、これらを相互に接続するネットワークとを備えたシステムにおける健康医療情報管理サーバに適用される健康医療情報共有プログラムであって、
医療機関名と所在地域名、および医師名や医療機関名と電話番号等の連絡先情報とをそれぞれ対応付けて内部の連絡先データベースに予め登録する手段、
診療年月日，診療内容と診療年月日対応の担当医療機関名・医師名とを含んだ診療記録情報を前記医師端末から登録要求され、個人ユーザ毎に健康医療情報データベースに登録する手段、
前記個人端末または前記医師端末から病名や症例のキーワードおよび地域名を入力され症例検索を要求されたときに、前記地域名により前記連絡先データベースを検索して対応する医療機関名を抽出し、前記健康医療情報データベースを参照して抽出された医療機関名が登録されている診療記録情報を対象に前記病名や症例のキーワードにより検索し、該当する個人ユーザの診療記録情報を取得して要求元の前記個人端末または前記医師端末に送信する手段、
前記個人端末または前記医師端末から医師名または医療機関名を指定して連絡先検索を要求されたときに、前記指定された医師名または医療機関名により前記連絡先データベースを検索し、該当する連絡先情報を取得して要求元の前記個人端末または前記医師端末に送信する手段、としてコンピュータを機能させる。
【００１８】
【発明の実施の形態】
本発明の実施の形態について図面を参照して詳細に説明する。
【００１９】
図１は、本発明の実施の形態の構成を示す図であり、個人端末１０と、医療機関Ａ端末２０と、医療機関Ｂ端末３０と、健康医療情報管理サーバ４０と、これらを相互に接続するインターネット等のネットワーク５０とを備えている。
【００２０】
個人端末１０は、健康医療情報共有システムの個人会員が使用するパーソナルコンピュータ等の情報処理装置であり、ネットワーク５０を介して健康医療情報管理サーバ４０にアクセスする機能、健康医療情報管理サーバ４０から送られる画面情報を表示する機能、画面上での選択や入力機能を備えている。
【００２１】
医療機関Ａ端末２０，医療機関Ｂ端末３０は、健康医療情報共有システムの会員である各医療機関に設置され、医師等に使用されるパーソナルコンピュータ等の情報処理装置であり、ネットワーク５０を介して健康医療情報管理サーバ４０にアクセスする機能、健康医療情報管理サーバ４０から送られる画面情報を表示する機能、画面上での選択や入力機能を備えている。なお、図１では医療機関Ａ，Ｂだけを例示しているが、医療機関の数に限定はない。
【００２２】
健康医療情報管理サーバ４０は、健康医療情報共有システムの運営業者または中央官庁，地方自治体等により設置されるワークステーション，サーバ等の情報処理装置である。この健康医療情報管理サーバ４０は、市，県，エリア（北海道，関東，北陸等）等の地域毎に設置されてもよいし、国内全域をカバーするものであってもよい。また、健康医療情報管理サーバ４０は、会員である各個人の健康医療情報（診療記録等）を集中的に管理し、個人端末１０や医療機関Ａ端末２０，医療機関Ｂ端末３０からの閲覧要求，登録・更新要求，各種検索要求等に対応するために、閲覧受付手段４１と、登録・更新手段４２と、症例検索手段４３と、連絡先検索手段４４と、認証情報データベース４５と、健康医療情報データベース４６と、連絡先データベース４７とを備えている。
【００２３】
閲覧受付手段４１は、個人端末１０や医療機関Ａ端末２０，医療機関Ｂ端末３０から健康医療情報閲覧要求を受け、認証を行った後に該当する健康医療情報を検索して送信する機能を備えている。
【００２４】
登録・更新手段４２は、個人端末１０からの個人情報や、各医療機関端末からの診療記録の登録，更新要求を受け、認証を行った後に健康医療情報データベース４６に登録，更新する機能を備えている。
【００２５】
症例検索手段４３は、個人端末１０や各医療機関端末からキーワードによる症例検索要求を受け、認証を行った後に健康医療情報データベース４６を検索して該当情報を送信する機能を備えている。
【００２６】
連絡先検索手段４４は、個人端末１０や各医療機関端末から指定された医師の連絡先検索要求を受け、連絡先データベース４７を検索して該当する連絡先情報（電話番号やメールアドレス等）を送信する機能を備えている。
【００２７】
認証情報データベース４５には、会員である個人の氏名，ＩＤ，パスワードや医療機関の医師等の氏名，ＩＤ，パスワードと、アクセスが許可されるメニュー項目とが予め対応して登録されている。
【００２８】
健康医療情報データベース４６には、会員である個人毎の健康医療情報が格納されている。図２（健康医療情報の構成の一例を示す図）を参照すると、健康医療情報は個人毎に個人識別番号が付与され、少なくとも個人情報と診療記録情報とを含んでいる。個人情報は、例えば氏名、性別、生年月日、住所、健康保険証番号、電話番号等の情報であり、健康医療情報共有システムの新規会員になるときに個人端末１０から登録される。この個人情報については、登録，更新は本人のみ、閲覧もかかりつけ医療機関の限られた人だけ認証されるよう認証情報データベース４５に登録される。診療記録情報には、診療年月日、診療内容（症状，検査内容，処置内容，投薬情報等）の情報の他に、診療年月日毎に担当した医療機関名・医師名が対応して登録される。
【００２９】
連絡先データベース４７には、医師名や医療機関名と連絡先（例えば、電話番号やメールアドレス等）とが対応付けられて予め登録されている。なお、医師名については連絡先の他医療機関名も登録されている。
【００３０】
なお、健康医療情報管理サーバ４０は、図示していない記憶手段に記憶された健康医療情報共有プログラムにより制御され、健康医療情報共有プログラムは健康医療情報管理サーバ４０の上記の各手段の動作を制御する。
【００３１】
次に、本発明の一実施の形態の動作について図面を参照して詳細に説明する。
【００３２】
最初に、診療記録情報の閲覧，登録・更新時の動作について図１〜図３を参照して説明する。なお、ここでは個人会員である患者が医療機関Ａに出向き受診したと想定して説明する。
【００３３】
図３（本発明の一実施の形態における診療記録情報の閲覧，登録・更新時の動作を示すフローチャート）を参照すると、診察開始時に医師は医療機関Ａ端末２０から健康医療情報管理サーバ４０にアクセスする（ステップＡ１）。健康医療情報管理サーバ４０の閲覧受付手段４１は、メニュー画面情報を医療機関Ａ端末２０に送信する（ステップＡ２）。
【００３４】
医師は「診療記録情報の閲覧」をメニュー画面上で選択し、閲覧対象である患者の個人識別番号を患者から訊いて入力するとともに、自分の医師ＩＤ，パスワードを入力して健康医療情報管理サーバ４０に送信する（ステップＡ３）。健康医療情報管理サーバ４０の閲覧受付手段４１は認証情報データベース４５を参照し、「診療記録情報の閲覧」が医師ＩＤに許可されておりパスワードも一致することを確認して認証する（ステップＡ４）。
【００３５】
認証後、閲覧受付手段４１は受信した個人識別番号により健康医療情報データベース４６を検索し、該当する個人の診療記録情報を医療機関Ａ端末２０に送信する。このとき、図２に示す健康医療情報の内の個人識別番号と診療記録情報部分だけが送信され、個人情報部分は送信されない（ステップＡ５）。医師は医療機関Ａ端末２０により受信，表示された患者の診療記録情報を参照し、これまでの診療の経緯や、投薬情報等を知ることができる（ステップＡ６）。
【００３６】
以上、医療機関Ａ端末２０から個人を指定して診療記録情報を閲覧する場合の動作を説明したが、他の診療機関の他の医師から閲覧する場合も同様に可能である。
【００３７】
次に、医師が診療を終え、今回の診療記録情報を追加入力して登録，更新する場合の動作について説明する。
【００３８】
患者の診療記録情報をダウンロードする動作については、上述したステップＡ１〜ステップＡ６と同じである。診療を終えた医師は、医療機関Ａ端末２０にダウンロードされた診療記録情報に診療年月日，今回の診療内容，診療した医療機関名と医師名とを入力するとともに、医師ＩＤとパスワードを入力して図２に示す画面上の「登録」ボタンを押下する。なお、閲覧だけで登録を要求しない場合は図２の「終了」ボタンを押下する（ステップＡ７）。
【００３９】
健康医療情報管理サーバ４０の登録・更新手段４２は、ステップＡ７で入力された情報を受信し、入力された医師名が入力された医療機関名，医師ＩＤ，パスワードと対応して認証情報データベース４５に登録されているかを認証する。なお、特定個人対応の診療記録情報の閲覧時，登録時の認証に関しては、例えば、閲覧は登録されている本人と医療機関の医師に許可し、登録，更新は医療機関の医師だけに許可する、というように認証情報データベース４５に予め登録されている（ステップＡ８）。
【００４０】
ステップＡ８において入力された情報と登録されている情報とが一致することを確認すると、登録・更新手段４２は追加入力された診療記録情報を健康医療情報データベース４６に登録する。これにより、診療記録情報が最新のものに更新される（ステップＡ９）。
【００４１】
次に、診療記録情報の症例検索時の動作について図１，図２および図４を参照して説明する。なお、この症例検索は個人端末１０，医療機関端末のいずれからも可能であるが、ここでは個人端末１０から検索すると想定して説明する。
【００４２】
図４（本発明の一実施の形態における診療記録情報の症例検索時の動作を示すフローチャート）を参照すると、会員である個人ユーザは個人端末１０から健康医療情報管理サーバ４０にアクセスする（ステップＢ１）。健康医療情報管理サーバ４０の閲覧受付手段４１は、メニュー画面情報を個人端末１０に送信する（ステップＢ２）。
【００４３】
個人ユーザは「症例検索」をメニュー画面上で選択し、検索のためのキーワード（例えば病名や症例等を表すキーワードで、単独でも二つ以上の症例等の組み合わせでもよい）を入力するとともに、自分の個人ＩＤ，パスワードを入力して健康医療情報管理サーバ４０に送信する（ステップＢ３）。健康医療情報管理サーバ４０の症例検索手段４３は認証情報データベース４５を参照し、「症例検索」が個人ＩＤに許可されておりパスワードも一致することを確認して認証する（ステップＢ４）。
【００４４】
認証後、症例検索手段４３は受信した病名や症例のキーワードにより健康医療情報データベース４６に登録されている全ての個人ユーザの診療記録情報を検索し、同じ病名や症例のキーワードを含む診療記録情報を取得して個人端末１０に送信する。なお、送信する診療記録情報はキーワードが含まれる文章部分だけでなく、キーワードを含む文章が記載されている個人ユーザの診療記録情報全体である。このとき、図２に示す健康医療情報の内の診療記録情報部分だけが送信され、個人識別番号や個人情報部分は送信されない（ステップＢ５）。
【００４５】
健康医療情報管理サーバ４０から送信された該当診療記録情報が個人端末１０に受信，表示される（ステップＢ６）。該当診療記録情報には図２に示す診療年月日，診療内容，担当医療機関名，担当医師名等が含まれるため、個人ユーザは、自分と同じ病気や症状を持つ患者に対してどこの病院のどの医師がどのような治療をし、病気がどのような経過で治癒していったのかというようなことを参照することができ、自分が受信したい病院や医師を決定する場合の有効な情報を得ることが可能になる。また、医師が医療機関端末から「症例検索」を同様に行うことにより、他の医師の治療内容や経過等を参考にすることができる。
【００４６】
次に、「連絡先検索」について説明する。
【００４７】
ステップＢ６における該当診療記録情報は図２に示す担当医療機関名，医師名を含んで表示されるが、個人ユーザまたは医師がその医師と連絡を取り適切なアドバイス等を得たい場合がある。そのような場合は、対象の医師名を指定して連絡先検索要求を行う。具体的には、例えばステップＢ６の図示しない画面上で連絡したい医師名をマウス等でクリックし、画面上の連絡先検索ボタンを押下する。または、連絡先検索ボタンを押下して医師名を入力するようにしてもよい。また、医師ではなく医療機関に連絡したい場合は医療機関名だけをクリック又は入力すればよい（ステップＢ７→ステップＢ８）。
【００４８】
健康医療情報管理サーバ４０の連絡先検索手段４４は、個人端末１０または医療機関端末からの連絡先検索要求を受け、指定された医師名または医療機関名により連絡先データベース４７を検索し、取得した連絡先情報（電話番号やメールアドレス等）を個人端末１０または医療機関端末に送信する。なお、同姓同名の医師が登録されていたときは、所属医療機関名とともにそれぞれの連絡先情報を送信する（ステップＢ９）。
【００４９】
個人端末１０または医療機関端末には要求した医師または医療機関の連絡先情報が表示され、個人ユーザまたは医師は別途その連絡先に連絡することができる（ステップＢ１０）。
【００５０】
次に、本発明の他の実施の形態について説明する。
【００５１】
上述した本発明の一実施の形態においては、症例検索は健康医療情報データベース４６に登録されている全ての個人ユーザの診療記録情報を対象に実施することで説明したが、本実施の形態においては、特定の地域の医療機関が担当している診療記録情報を対象に症例検索を実施するようにした点が異なっている。本実施の形態は、例えば個人会員が自分と同じ病気や症状を持っている他の人の診療例を参照して受診する診療機関や医師を決定する場合、自分の居住地から通院可能な地域を考慮して症例検索を要求する場合に特に対応するものである。
【００５２】
本実施の形態においては、図１の連絡先データベース４７には連絡先情報の他に各医療機関の地域情報が予め登録されている。この地域情報は各医療機関所在地の市町村名，県名，エリア名（北海道，関東，北陸等）等である。
【００５３】
本実施の形態の動作について、上述した一実施の形態と異なる部分を図３，図４を用いて説明する。
【００５４】
まず、図３を参照すると、ステップＡ９において、登録・更新手段４２が追加入力された診療記録情報を健康医療情報データベース４６に登録するときに、追加診療記録情報の中の医療機関名により連絡先データベース４７を検索してその医療機関の地域情報を取得し、その地域情報を健康医療情報データベース４６の各個人の健康医療情報に対応付けて登録する。このとき、例えば前回の診療時と同じ医療機関で受診し同じ地域情報が既に登録されているような場合は新たな登録は行わず、既登録の地域情報と異なる地域情報のときだけ既登録の地域情報に加えて登録する。
【００５５】
次に、図４を参照すると、ステップＢ３において、個人ユーザは症例検索のためのキーワードや自分の個人ＩＤ，パスワードを入力するとともに、図示しない画面上の地域情報から希望する地域名を選択して健康医療情報管理サーバ４０に送信する。
【００５６】
図４のステップＢ５において、症例検索手段４３は受信した地域名が登録されている個人の診療記録情報を健康医療情報データベース４６から抽出し、抽出された診療記録情報を対象に受診した病名や症例のキーワードにより検索し、同じ病名や症例を含む診療記録情報を取得して個人端末１０に送信する。
【００５７】
なお、本実施の形態の他の実施例としては、図３のステップＡ９の動作は一実施の形態と同じ、すなわち地域情報の健康医療情報データベース４６への登録は行わず、図４のステップＢ５において、症例検索手段４３は受診した地域名により連絡先データベース４７を検索して対応する医療機関名を抽出し、抽出された医療機関名が登録されている診療記録情報を対象に受診したキーワードにより検索し、該当する診療記録情報を取得して個人端末１０に送信するようにしてもよい。
【００５８】
なお、以上の本発明の一実施の形態または他の実施の形態においては、健康医療情報は少なくとも個人情報と診療記録情報とを含んでいるとして説明したが、健康診断情報（健康診断における診断結果データの履歴情報）や生活習慣情報（喫煙／飲酒／嗜好／運動量等に関する情報）等を加えてもよい。この場合、健康診断情報の閲覧時，登録時の認証に関しては、例えば、閲覧は登録されている本人と医療機関の医師に許可し、登録，更新は医療機関の医師だけに許可し、生活習慣情報の閲覧時，登録時の認証に関しては、例えば、閲覧は登録されている本人と医療機関の医師に許可し、登録，更新は本人だけに許可する、というように認証情報データベース４５に予め登録される。
【００５９】
【発明の効果】
本発明は、個人ユーザの健康医療情報を集中管理し個人端末や各病院の医師端末等にネットワークを介して公開する健康医療情報共有システムにおいて、集中管理された全ての個人ユーザの健康医療情報を症例や病名のキーワードにより横断的に検索し、該当する情報を取得して個人ユーザや医師に回答するようにしている。このため、診療を受けようとする個人ユーザが、自分と同じ病気を持つ患者に対してどこの病院のどの医師がどのような治療をし、病気がどのような経過で治癒していったのかといったことを知ることができ、それらの例を参考にして受診する病院や医師を決めることができるという効果がある。また、医師にとっても、ある病名，症例等に対して他の医師がどのように対処してどのような結果を得ているのかといったことを、自分の治療の参考にすることができるという効果がある。さらに、本発明においては健康医療情報の診療内容毎の担当医師の連絡先も提供可能にしたため、必要に応じ医師間または個人ユーザと医師間の連絡，アドバイス等も用意に行えるようになったという効果がある。
【図面の簡単な説明】
【図１】本発明の実施の形態の構成を示す図である。
【図２】健康医療情報の構成の一例を示す図である。
【図３】本発明の一実施の形態における診療記録情報の閲覧，登録・更新時の動作を示すフローチャートである。
【図４】本発明の一実施の形態における診療記録情報の症例検索時の動作を示すフローチャートである。
【符号の説明】
１０　　個人端末
２０　　医療機関Ａ端末
３０　　医療機関Ｂ端末
４０　　健康医療情報管理サーバ
４１　　閲覧受付手段
４２　　登録・更新手段
４３　　症例検索手段
４４　　連絡先検索手段
４５　　認証情報データベース
４６　　健康医療情報データベース
４７　　連絡先データベース
５０　　ネットワーク
【図１】
2004030128.tif 000003
【図２】
2004030128.tif 000004
【図３】
2004030128.tif 000005
【図４】
2004030128.tif 000006